(57)【要約】【課題】磁気データの始め符号の位置が所定の規格の範囲内に入っているのか否かを容易に確認することが可能となる始め符号の位置確認方法を提供する。【解決手段】磁気データの始め符号が正確な位置に記録されたカード２を基準カード２とすると、記憶部１４には、搬送機構４によって磁気ヘッド３に向かって搬送される基準カード２の先端部２ｂが検知機構５で検知された後、基準カード２の磁気データの始め符号が磁気ヘッド３に到達するまでの時間である基準時間が記憶されている。この始め符号の位置確認方法では、搬送機構４によって磁気ヘッド３に向かって搬送されるカード２の先端部２ｂが検知機構５で検知された後、カード２の磁気データの始め符号が磁気ヘッド３に到達するまでの時間である測定時間を算出し、基準時間と測定時間との差に基づいて、カード２の磁気データの始め符号の位置が所定の規格の範囲内に入っているのか否かを確認している。【選択図】図１
2018116756.tif 000002
【特許請求の範囲】
【請求項１】
カードに記録された磁気データの読取りを行う磁気ヘッドと、前記カードを搬送する搬送機構と、前記磁気ヘッドに向かって搬送される前記カードの先端部を、前記カードに記録された前記磁気データの始め符号が前記磁気ヘッドに到達する前に検知する検知機構と、所定のデータが記憶される記憶部とを備えるカードリーダを用いて、前記カードに記録された前記磁気データの前記始め符号の位置を確認する始め符号の位置確認方法であって、
前記磁気データが記録された前記カードを前記搬送機構によって搬送しながら前記カードに記録された前記磁気データを前記磁気ヘッドで読み取るとともに、前記磁気データが読み取られた前記カードの前記磁気データの前記始め符号の位置が所定の規格の範囲内に入っているのか否かを確認する始め符号位置確認工程を備え、
前記磁気データが記録されるとともに前記磁気データの前記始め符号が正確な位置に記録された前記カードを基準カードとすると、
前記記憶部には、前記搬送機構によって前記磁気ヘッドに向かって搬送される前記基準カードの先端部が前記検知機構で検知された後、前記基準カードに記録された前記磁気データの前記始め符号が前記磁気ヘッドに到達するまでの時間である基準時間、または、前記搬送機構によって前記磁気ヘッドに向かって搬送される前記基準カードの先端部が前記検知機構で検知された後、前記基準カードに記録された前記磁気データの前記始め符号が前記磁気ヘッドに到達するまでの前記搬送機構による前記カードの送り量である基準送り量、あるいは、前記基準時間または前記基準送り量に基づいて算出される基準値が記憶され、
前記始め符号位置確認工程では、前記搬送機構によって前記磁気ヘッドに向かって搬送される前記カードの先端部が前記検知機構で検知された後、前記カードに記録された前記磁気データの前記始め符号が前記磁気ヘッドに到達するまでの時間である測定時間、または、前記搬送機構によって前記磁気ヘッドに向かって搬送される前記カードの先端部が前記検知機構で検知された後、前記カードに記録された前記磁気データの前記始め符号が前記磁気ヘッドに到達するまでの前記搬送機構による前記カードの送り量である測定送り量、あるいは、前記測定時間または前記測定送り量に基づく測定値を算出するとともに、前記基準時間と前記測定時間との差、または、前記基準送り量と前記測定送り量との差、あるいは、前記基準値と前記測定値との差に基づいて、前記磁気データが読み取られた前記カードの前記磁気データの前記始め符号の位置が所定の規格の範囲内に入っているのか否かを確認することを特徴とする始め符号の位置確認方法。
【請求項２】
前記始め符号位置確認工程の前に実行される磁気データ記録工程と、前記磁気データ記録工程の前に実行される補正値算出工程とを備え、
前記補正値算出工程では、前記基準カードを前記搬送機構によって搬送しながら前記基準カードに記録された前記磁気データを前記磁気ヘッドで読み取って、前記基準時間または前記基準送り量あるいは前記基準値を算出するとともに、前記搬送機構によって前記磁気ヘッドに向かって搬送される前記カードの先端部が前記検知機構で検知された時点を基準とした前記磁気ヘッドによる前記磁気データの前記始め符号の記録開始タイミングを補正する補正値を、前記基準時間または前記基準送り量あるいは前記基準値に基づいて算出し、なおかつ、前記記憶部に、前記基準時間または前記基準送り量あるいは前記基準値と、前記補正値とを記憶し、
前記磁気データ記録工程では、前記補正値に基づいて、前記磁気データが記録されていない前記カードを前記搬送機構によって搬送しながら前記磁気ヘッドによって前記カードに前記磁気データを記録し、
前記始め符号位置確認工程では、前記磁気データ記録工程で前記磁気データが記録された前記カードを前記搬送機構によって搬送することを特徴とする請求項１記載の始め符号の位置確認方法。
【請求項３】
カードに記録された磁気データの読取りを行う磁気ヘッドと、前記カードを搬送する搬送機構と、前記磁気ヘッドに向かって搬送される前記カードの先端部を、前記カードに記録された前記磁気データの終わり符号が前記磁気ヘッドに到達する前に検知する検知機構と、所定のデータが記憶される記憶部とを備えるカードリーダを用いて、前記カードに記録された前記磁気データの前記終わり符号の位置を確認する終わり符号の位置確認方法であって、
前記磁気データが記録された前記カードを前記搬送機構によって搬送しながら前記カードに記録された前記磁気データを前記磁気ヘッドで読み取るとともに、前記磁気データが読み取られた前記カードの前記磁気データの前記終わり符号の位置が所定の規格の範囲内に入っているのか否かを確認する終わり符号位置確認工程を備え、
前記磁気データが記録されるとともに前記磁気データの前記終わり符号が正確な位置に記録された前記カードを基準カードとすると、
前記記憶部には、前記搬送機構によって前記磁気ヘッドに向かって搬送される前記基準カードの先端部が前記検知機構で検知された後、前記基準カードに記録された前記磁気データの前記終わり符号が前記磁気ヘッドに到達するまでの時間である基準時間、または、前記搬送機構によって前記磁気ヘッドに向かって搬送される前記基準カードの先端部が前記検知機構で検知された後、前記基準カードに記録された前記磁気データの前記終わり符号が前記磁気ヘッドに到達するまでの前記搬送機構による前記カードの送り量である基準送り量、あるいは、前記基準時間または前記基準送り量に基づいて算出される基準値が記憶され、
前記終わり符号位置確認工程では、前記搬送機構によって前記磁気ヘッドに向かって搬送される前記カードの先端部が前記検知機構で検知された後、前記カードに記録された前記磁気データの前記終わり符号が前記磁気ヘッドに到達するまでの時間である測定時間、または、前記搬送機構によって前記磁気ヘッドに向かって搬送される前記カードの先端部が前記検知機構で検知された後、前記カードに記録された前記磁気データの前記終わり符号が前記磁気ヘッドに到達するまでの前記搬送機構による前記カードの送り量である測定送り量、あるいは、前記測定時間または前記測定送り量に基づく測定値を算出するとともに、前記基準時間と前記測定時間との差、または、前記基準送り量と前記測定送り量との差、あるいは、前記基準値と前記測定値との差に基づいて、前記磁気データが読み取られた前記カードの前記磁気データの前記終わり符号の位置が所定の規格の範囲内に入っているのか否かを確認することを特徴とする終わり符号の位置確認方法。
【発明の詳細な説明】
【技術分野】
【０００１】
本発明は、カードに記録された磁気データの始め符号の位置が所定の規格の範囲内に入っているのか否かを確認するための始め符号の位置確認方法に関する。また、本発明は、カードに記録された磁気データの終わり符号の位置が所定の規格の範囲内に入っているのか否かを確認するための終わり符号の位置確認方法に関する。
【背景技術】
【０００２】
従来、カードリーダの磁気ヘッドによってカードに記録される磁気データの始め符号（スタートセンチネル）の記録位置を補正するための補正値の算出方法が本出願人によって提案されている（たとえば、特許文献１参照）。特許文献１に記載の補正値算出方法が適用されるカードリーダは、カードに記録された磁気データの読取りとカードへの磁気データの記録とを行う磁気ヘッドと、カードを搬送する搬送機構と、カードが磁気ヘッドに到達する前にカードの位置を検出するセンサとを備えている。
【０００３】
特許文献１に記載の補正値算出方法では、磁気データの始め符号が正確に記録された標準カードを磁気ヘッドに向かって搬送し、センサが動作した時刻と磁気ヘッドによって標準カードの始め符号が読み込まれた時刻とを求めている。また、その時刻の差（時間差Ｔ）と記録時のプレアンブル１ビット分のインターバル時間ｔとを用いてＴ／ｔを算出し、このプレアンブル数Ｔ／ｔ個を補正値としている。また、この補正値を不揮発性メモリに記憶している。
【先行技術文献】
【特許文献】
【０００４】
【特許文献１】特開２００５−４４４５３号公報
【発明の概要】
【発明が解決しようとする課題】
【０００５】
特許文献１に記載の補正値算出方法が適用されるカードリーダでは、不揮発性メモリに記憶された補正値に基づいてカードに磁気データが記録される。カードに記録された磁気データの始め符号の位置（具体的には、カードの端部を基準とした始め符号の位置）がＪＩＳ規格やＩＳＯ規格等の所定の規格の範囲内に入っているのか否かの確認は、一般に、カードに記録された磁気データを磁気現像し、磁気現像された磁気データの始め符号の位置を顕微鏡を用いて目視で確認することで行われている。そのため、磁気データの始め符号の位置が所定の規格の範囲内に入っているのか否かを確認する確認作業は煩雑である。
【０００６】
なお、カードに記録された磁気データの終わり符号の位置（具体的には、カードの端部を基準とした終わり符号の位置）がＪＩＳ規格やＩＳＯ規格等の所定の規格の範囲内に入っているのか否かの確認も、一般に、カードに記録された磁気データを磁気現像し、磁気現像された磁気データの終わり符号の位置を顕微鏡を用いて目視で確認することで行われるため、この確認作業も煩雑である。
【０００７】
そこで、本発明の課題は、カードに記録された磁気データの始め符号の位置が所定の規格の範囲内に入っているのか否かを容易に確認することが可能となる始め符号の位置確認方法を提供することにある。また、本発明の課題は、カードに記録された磁気データの終わり符号の位置が所定の規格の範囲内に入っているのか否かを容易に確認することが可能となる終わり符号の位置確認方法を提供することにある。
【課題を解決するための手段】
【０００８】
上記の課題を解決するため、本発明の始め符号の位置確認方法は、カードに記録された磁気データの読取りを行う磁気ヘッドと、カードを搬送する搬送機構と、磁気ヘッドに向かって搬送されるカードの先端部を、カードに記録された磁気データの始め符号が磁気ヘッドに到達する前に検知する検知機構と、所定のデータが記憶される記憶部とを備えるカードリーダを用いて、カードに記録された磁気データの始め符号の位置を確認する始め符号の位置確認方法であって、磁気データが記録されたカードを搬送機構によって搬送しながらカードに記録された磁気データを磁気ヘッドで読み取るとともに、磁気データが読み取られたカードの磁気データの始め符号の位置が所定の規格の範囲内に入っているのか否かを確認する始め符号位置確認工程を備え、磁気データが記録されるとともに磁気データの始め符号が正確な位置に記録されたカードを基準カードとすると、記憶部には、搬送機構によって磁気ヘッドに向かって搬送される基準カードの先端部が検知機構で検知された後、基準カードに記録された磁気データの始め符号が磁気ヘッドに到達するまでの時間である基準時間、または、搬送機構によって磁気ヘッドに向かって搬送される基準カードの先端部が検知機構で検知された後、基準カードに記録された磁気データの始め符号が磁気ヘッドに到達するまでの搬送機構によるカードの送り量である基準送り量、あるいは、基準時間または基準送り量に基づいて算出される基準値が記憶され、始め符号位置確認工程では、搬送機構によって磁気ヘッドに向かって搬送されるカードの先端部が検知機構で検知された後、カードに記録された磁気データの始め符号が磁気ヘッドに到達するまでの時間である測定時間、または、搬送機構によって磁気ヘッドに向かって搬送されるカードの先端部が検知機構で検知された後、カードに記録された磁気データの始め符号が磁気ヘッドに到達するまでの搬送機構によるカードの送り量である測定送り量、あるいは、測定時間または測定送り量に基づく測定値を算出するとともに、基準時間と測定時間との差、または、基準送り量と測定送り量との差、あるいは、基準値と測定値との差に基づいて、磁気データが読み取られたカードの磁気データの始め符号の位置が所定の規格の範囲内に入っているのか否かを確認することを特徴とする。
【０００９】
本発明の始め符号の位置確認方法では、始め符号位置確認工程において、記憶部に記憶された基準時間と始め符号位置確認工程で算出された測定時間との差、または、記憶部に記憶された基準送り量と始め符号位置確認工程で算出された測定送り量との差、あるいは、記憶部に記憶された基準値と始め符号位置確認工程で算出された測定値との差に基づいて、磁気データが読み取られたカードの磁気データの始め符号の位置が所定の規格の範囲内に入っているのか否かを確認している。そのため、本発明では、従来のように、磁気現像された磁気データの始め符号の位置を顕微鏡を用いて目視で確認する必要がない。したがって、本発明では、カードに記録された磁気データの始め符号の位置が所定の規格の範囲内に入っているのか否かを容易に確認することが可能になる。
【００１０】
本発明において、始め符号の位置確認方法は、たとえば、始め符号位置確認工程の前に実行される磁気データ記録工程と、磁気データ記録工程の前に実行される補正値算出工程とを備え、補正値算出工程では、基準カードを搬送機構によって搬送しながら基準カードに記録された磁気データを磁気ヘッドで読み取って、基準時間または基準送り量あるいは基準値を算出するとともに、搬送機構によって磁気ヘッドに向かって搬送されるカードの先端部が検知機構で検知された時点を基準とした磁気ヘッドによる磁気データの始め符号の記録開始タイミングを補正する補正値を、基準時間または基準送り量あるいは基準値に基づいて算出し、なおかつ、記憶部に、基準時間または基準送り量あるいは基準値と、補正値とを記憶し、磁気データ記録工程では、補正値に基づいて、磁気データが記録されていないカードを搬送機構によって搬送しながら磁気ヘッドによってカードに磁気データを記録し、始め符号位置確認工程では、磁気データ記録工程で磁気データが記録されたカードを搬送機構によって搬送する。この場合には、補正値算出工程で算出された補正値によって磁気データの始め符号の記録開始タイミングが適切に補正されているのか否かを確認することが可能になる。
【００１１】
また、上記の課題を解決するため、本発明の終わり符号の位置確認方法は、カードに記録された磁気データの読取りを行う磁気ヘッドと、カードを搬送する搬送機構と、磁気ヘッドに向かって搬送されるカードの先端部を、カードに記録された磁気データの終わり符号が磁気ヘッドに到達する前に検知する検知機構と、所定のデータが記憶される記憶部とを備えるカードリーダを用いて、カードに記録された磁気データの終わり符号の位置を確認する終わり符号の位置確認方法であって、磁気データが記録されたカードを搬送機構によって搬送しながらカードに記録された磁気データを磁気ヘッドで読み取るとともに、磁気データが読み取られたカードの磁気データの終わり符号の位置が所定の規格の範囲内に入っているのか否かを確認する終わり符号位置確認工程とを備え、磁気データが記録されるとともに磁気データの終わり符号が正確な位置に記録されたカードを基準カードとすると、記憶部には、搬送機構によって磁気ヘッドに向かって搬送される基準カードの先端部が検知機構で検知された後、基準カードに記録された磁気データの終わり符号が磁気ヘッドに到達するまでの時間である基準時間、または、搬送機構によって磁気ヘッドに向かって搬送される基準カードの先端部が検知機構で検知された後、基準カードに記録された磁気データの終わり符号が磁気ヘッドに到達するまでの搬送機構によるカードの送り量である基準送り量、あるいは、基準時間または基準送り量に基づいて算出される基準値が記憶され、終わり符号位置確認工程では、搬送機構によって磁気ヘッドに向かって搬送されるカードの先端部が検知機構で検知された後、カードに記録された磁気データの終わり符号が磁気ヘッドに到達するまでの時間である測定時間、または、搬送機構によって磁気ヘッドに向かって搬送されるカードの先端部が検知機構で検知された後、カードに記録された磁気データの終わり符号が磁気ヘッドに到達するまでの搬送機構によるカードの送り量である測定送り量、あるいは、測定時間または測定送り量に基づく測定値を算出するとともに、基準時間と測定時間との差、または、基準送り量と測定送り量との差、あるいは、基準値と測定値との差に基づいて、磁気データが読み取られたカードの磁気データの終わり符号の位置が所定の規格の範囲内に入っているのか否かを確認することを特徴とする。
【００１２】
本発明の終わり符号の位置確認方法では、終わり符号位置確認工程において、記憶部に記憶された基準時間と終わり符号位置確認工程で算出された測定時間との差、または、記憶部に記憶された基準送り量と終わり符号位置確認工程で算出された測定送り量との差、あるいは、記憶部に記憶された基準値と終わり符号位置確認工程で算出された測定値との差に基づいて、磁気データが読み取られたカードの磁気データの終わり符号の位置が所定の規格の範囲内に入っているのか否かを確認している。そのため、本発明では、従来のように、磁気現像された磁気データの終わり符号の位置を顕微鏡を用いて目視で確認する必要がない。したがって、本発明では、カードに記録された磁気データの終わり符号の位置が所定の規格の範囲内に入っているのか否かを容易に確認することが可能になる。
【発明の効果】
【００１３】
以上のように、本発明の始め符号の位置確認方法では、カードに記録された磁気データの始め符号の位置が所定の規格の範囲内に入っているのか否かを容易に確認することが可能になる。また、本発明の終わり符号の位置確認方法では、カードに記録された磁気データの終わり符号の位置が所定の規格の範囲内に入っているのか否かを容易に確認することが可能になる。
【図面の簡単な説明】
【００１４】
【図１】本発明の実施の形態にかかる始め符号の位置確認方法が適用されるカードリーダの概略構成を説明するための側面図である。
【図２】図１に示すカードリーダの概略構成を説明するための平面図である。
【図３】本発明の実施の形態にかかる始め符号の位置確認方法を説明するための工程図である。
【図４】図３に示す補正値算出工程の流れを説明するためのフローチャートである。
【図５】図３に示す始め符号位置確認工程の流れを説明するためのフローチャートである。
【発明を実施するための形態】
【００１５】
以下、図面を参照しながら、本発明の実施の形態を説明する。
【００１６】
（カードリーダの概略構成）
図１は、本発明の実施の形態にかかる始め符号の位置確認方法が適用されるカードリーダ１の概略構成を説明するための側面図である。図２は、図１に示すカードリーダ１の概略構成を説明するための平面図である。
【００１７】
本形態の始め符号の位置確認方法が適用されるカードリーダ１は、たとえば、ＡＴＭ（Ａｕｔｏｍａｔｅｄ  Ｔｅｌｌｅｒ  Ｍａｃｈｉｎｅ）等の上位装置に搭載されて使用される。このカードリーダ１は、カード２に記録された磁気データの読取りとカード２への磁気データの記録を行う磁気ヘッド３と、カード２を搬送する搬送機構４と、カード２の端部を検知する検知機構５とを備えている。搬送機構４は、モータ（図示省略）に連結される搬送ローラ７と、搬送ローラ７に対向配置されるとともに搬送ローラ７に向かって付勢されるパッドローラ８とを備えている。カード２は、搬送ローラ７とパッドローラ８との間に挟まれた状態で搬送される。
【００１８】
カード２は、厚さが０．７〜０．８ｍｍ程度の長方形状の塩化ビニール製のカードである。また、本形態のカード２は、ＪＩＳ規格やＩＳＯ規格に準拠した磁気ストライプ付きのカードであり、カード２には、磁気データが記録される磁気ストライプ２ａが形成されている。磁気ストライプ２ａは、長方形状に形成されるカード２の長手方向に沿って形成されている。なお、カード２には、ＩＣチップが内蔵されていても良い。
【００１９】
カード２に記録される磁気データ（すなわち、磁気ストライプ２ａに記録される磁気データ）は、プリアンブルと、始め符号（ＳＳ（Ｓｔａｒｔ  Ｓｅｎｔｉｎｅｌ））と、実データと、終わり符号（ＥＳ（Ｅｎｄ  Ｓｅｎｔｉｎｅｌ））と、ＬＲＣ文字（水平冗長検査文字）と、ポストアンブルとから構成されている。プリアンブルと始め符号と実データと終わり符号とＬＲＣ文字とポストアンブルとは、カード２の長手方向の一端部２ｂから他端部２ｃに向かってこの順番で磁気ストライプ２ａに記録されている。なお、ＪＩＳ規格やＩＳＯ規格では、一端部２ｂを基準とする磁気データの始め符号の位置が規定されている。
【００２０】
カード２は、カード２の搬送方向（図１、図２の左右方向）とカード２の長手方向とが一致するように搬送機構４によって搬送される。また、カード２に記録された磁気データが磁気ヘッド３で読み取られるとき、および、磁気ヘッド３によってカード２に磁気データが記録されるときには、一端部２ｂが最初に磁気ヘッド３に接触するように、カード２が搬送される。本形態の一端部２ｂは、磁気ヘッド３に向かって搬送されるカード２の先端部となっている。
【００２１】
検知機構５は、発光部１０と受光部１１とを有する透過型の光学式センサである。発光部１０と受光部１１とは、カード２が搬送されるカード搬送路を挟んだ状態で配置されている。検知機構５は、カード２に記録された磁気データが磁気ヘッド３で読み取られるときに、カード２に記録された磁気データの始め符号が磁気ヘッド３に到達する前に、磁気ヘッド３に向かって搬送されるカード２の一端部２ｂを検知する。具体的には、検知機構５は、カード２に記録された磁気データが磁気ヘッド３で読み取られるときに、カード２に記録された磁気データの始め符号が磁気ヘッド３のギャップに到達する前に、磁気ヘッド３に向かって搬送されるカード２の一端部２ｂを検知する。
【００２２】
カードリーダ１を制御する制御部１２には、磁気ヘッド３および検知機構５等が電気的に接続されている。制御部１２は、記憶手段１３を備えている。記憶手段１３には、所定のデータが記録される記憶部としての不揮発性メモリ１４が含まれている。また、記憶手段１３には、ＲＯＭやＲＡＭ等が含まれている。
【００２３】
本形態では、設計上、発光部１０および受光部１１の中心（すなわち、検知機構５の中心）と、磁気ヘッド３のギャップとは、カード２の搬送方向において同じ位置に配置されている（図２（Ａ）の二点鎖線参照）。また、カード２に磁気データを記録するときには、設計上、検知機構５によってカード２の一端部２ｂが検知されると、磁気ヘッド３によって、規格で定められたビット数のプリアンブルの記録が開始される。
【００２４】
ただし、磁気ヘッド３や検知機構５の取付誤差等の影響で、カード２の搬送方向において磁気ヘッド３のギャップと検知機構５の中心とがずれる場合がある。たとえば、図１、図２の実線で示すように、検知機構５の中心が磁気ヘッド３のギャップよりも、カード２の搬送方向において上流側に配置される場合がある。カード２の搬送方向において、磁気ヘッド３のギャップと検知機構５の中心とがずれていると、カード２に記録される磁気データの始め符号の位置がずれる。具体的には、一端部２ｂを基準とする磁気データの始め符号の位置がずれる。
【００２５】
そこで、本形態では、カードリーダ１の出荷前等に、カード２に記録される磁気データの始め符号の位置ずれを抑制するための補正を行っている。また、本形態では、補正後に、カードリーダ１によってカード２に磁気データを記録するとともに、カード２に記録された磁気データの始め符号の位置を確認している。以下、補正値の算出工程を含む磁気データの始め符号の位置確認方法を説明する。
【００２６】
（始め符号の位置確認方法）
図３は、本発明の実施の形態にかかる始め符号の位置確認方法を説明するための工程図である。図４は、図３に示す補正値算出工程の流れを説明するためのフローチャートである。図５は、図３に示す始め符号位置確認工程の流れを説明するためのフローチャートである。
【００２７】
本形態の始め符号の位置確認方法は、補正値算出工程と、磁気データ記録工程と、始め符号位置確認工程とを備えている。図３に示すように、補正値算出工程と、磁気データ記録工程と、始め符号位置確認工程とはこの順番で実行される。すなわち、磁気データ記録工程は、始め符号位置確認工程の前に実行され、補正値算出工程は、磁気データ記録工程の前に実行される。
【００２８】
補正値算出工程では、磁気データが記録されるとともに磁気データの始め符号が正確な位置に記録されたカード２である基準カード２が使用される。また、補正値算出工程では、まず、作業員がカードリーダ１に基準カード２を挿入する。カードリーダ１に基準カード２が挿入されると、制御部１２は、基準カード２を搬送機構４によって搬送しながら基準カード２に記録された磁気データを磁気ヘッド３で読み取って、搬送機構４によって磁気ヘッド３に向かって搬送される基準カード２の一端部２ｂが検知機構５で検知された後、基準カード２に記録された磁気データの始め符号が磁気ヘッド３に到達するまでの時間である基準時間ｔ０を算出する。
【００２９】
具体的には、図４に示すように、まず、制御部１２は、基準カード２の一端部２ｂが検知機構５で検知された時刻（図２（Ａ）に示す状態になった時刻）ｔ１を記憶手段１３に記憶する（ステップＳ１）。また、制御部１２は、基準カード２に記録された磁気データの始め符号が磁気ヘッド３のギャップに到達した時刻（図２（Ｂ）に示す状態になった時刻）ｔ２を記憶手段１３に記憶する（ステップＳ２）。その後、制御部１２は、ステップＳ１で記憶された時刻ｔ１と、ステップＳ２で記憶された時刻ｔ２とに基づいて、基準時間ｔ０＝ｔ２−ｔ１を算出する（ステップＳ３）。
【００３０】
基準カード２における一端部２ｂと磁気データの始め符号の記録開始位置との距離Ｌを、搬送機構４によるカード２の搬送速度Ｖで割った値（Ｌ／Ｖ）を時間Ｔとすると、時間Ｔは、予め、算出可能な固定値である。制御部１２は、ステップＳ３の後、時間Δｔ０＝ｔ０−Ｔを算出する（ステップＳ４）。すなわち、制御部１２は、ステップＳ４において、カード２の搬送方向における検知機構５の中心と磁気ヘッド３のギャップとのずれ量分をカード２が搬送されるのにかかった時間Δｔ０を算出する。
【００３１】
その後、制御部１２は、カード２の搬送方向における検知機構５の中心と磁気ヘッド３のギャップとのずれ量Ｘ（図２（Ａ）参照）＝Δｔ０×Ｖを算出する（ステップＳ５）。プリアンブルのビット間の間隔をＡとすると、その後、制御部１２は、補正値ｎ＝Ｘ／Ａを算出する（ステップＳ６）。また、制御部１２は、基準時間ｔ０と補正値ｎとを不揮発性メモリ１４に記憶する（ステップＳ７）。不揮発性メモリ１４に基準時間ｔ０と補正値ｎとが記憶されると、補正値算出工程が終了する。
【００３２】
以下に説明する磁気データ記録工程では、搬送機構４によって磁気ヘッド３に向かって搬送されるカード２の一端部２ｂが検知機構５によって検知された時点を基準として、規定のビット数に補正値ｎを加えたビット数のプリアンブルが磁気ヘッド３によって出力される。すなわち、補正値算出工程では、搬送機構４によって磁気ヘッド３に向かって搬送されるカード２の一端部２ｂが検知機構５で検知された時点を基準とした磁気ヘッド３による磁気データの始め符号の記録開始タイミングを補正する補正値ｎが基準時間ｔ０に基づいて算出されている。
【００３３】
磁気データ記録工程では、まず、磁気データが記録されていないカード２を作業員がカードリーダ１に挿入する。カード２がカードリーダ１に挿入されると、制御部１２は、磁気データが記録されていないカード２を搬送機構４によって搬送しながら磁気ヘッド３によってカード２に磁気データを記録する。また、磁気データ記録工程では、補正値ｎに基づいて、搬送機構４によってカード２を搬送しながら磁気ヘッド３によってカード２に磁気データを記録する。具体的には、磁気データ記録工程において、制御部１２は、搬送機構４によって磁気ヘッド３に向かって搬送されるカード２の一端部２ｂが検知機構５によって検知された時点を基準として、規定のプリアンブルのビット数に補正値ｎを加えたビット数のプリアンブルを磁気ヘッド３に出力させて、カード２に磁気データを記録する。
【００３４】
カード２に磁気データが記録されると、カードリーダ１からカード２が排出されて、磁気データ記録工程が終了する。なお、磁気ヘッド３に向かって搬送されるカード２の一端部２ｂが検知機構５によって検知された後、一端部２ｂが磁気ヘッド３のギャップに到達するまでに出力されたプリアンブルは、実際には、カード２に記録されない。また、磁気データ記録工程でカード２に磁気データが記録された後、カードリーダ１からカード２が排出されることなく、そのまま、始め符号位置確認工程が実行されても良い。この場合には、以下で説明する始め符号位置確認工程において、磁気データ記録工程で磁気データが記録されたカード２をカードリーダ１に挿入する必要がない。
【００３５】
始め符号位置確認工程では、磁気データ記録工程で磁気データが記録されたカード２を作業員がカードリーダ１に挿入する。磁気データ記録工程で磁気データが記録されたカード２がカードリーダ１に挿入されると、磁気データ記録工程で磁気データが記録されたカード２を搬送機構４によって搬送しながらカード２に記録された磁気データを磁気ヘッド３で読み取るとともに、磁気データが読み取られたカード２の磁気データの始め符号の位置が所定の規格の範囲内に入っているのか否かを確認する。
【００３６】
具体的には、図５に示すように、制御部１２は、まず、カード２の一端部２ｂが検知機構５で検知された時刻（図２（Ａ）に示す状態になった時刻）ｔ１１を記憶手段１３に記憶する（ステップＳ１１）。また、制御部１２は、カード２に記録された磁気データの始め符号が磁気ヘッド３のギャップに到達した時刻（図２（Ｂ）に示す状態になった時刻）ｔ１２を記憶手段１３に記憶する（ステップＳ１２）。その後、制御部１２は、ステップＳ１１で記憶された時刻ｔ１１と、ステップＳ１２で記憶された時刻ｔ１２とに基づいて、搬送機構４によって磁気ヘッド３に向かって搬送されるカード２の一端部２ｂが検知機構５で検知された後、カード２に記録された磁気データの始め符号が磁気ヘッド３に到達するまでの時間である測定時間ｔ１０＝ｔ１２−ｔ１１を算出する（ステップＳ１３）。
【００３７】
その後、制御部１２は、補正値算出工程で不揮発性メモリ１４に記憶された基準時間ｔ０と測定時間ｔ１０との差Δｔ＝ｔ１０−ｔ０を算出する（ステップＳ１４）。その後、制御部１２は、基準カード２に記録された磁気データの始め符号の位置（具体的には、始め符号の記録開始位置）と、磁気データ記録工程で磁気データが記録されたカード２の磁気データの始め符号の位置（具体的には、始め符号の記録開始位置）とのずれ量Ｙ＝Δｔ×Ｖを算出する（ステップＳ１５）。
【００３８】
その後、制御部１２は、基準カード２における一端部２ｂと磁気データの始め符号の記録開始位置との距離Ｌと、ステップＳ１５で算出されたずれ量Ｙとに基づいて、磁気データ記録工程で磁気データが記録されたカード２の、一端部２ｂと磁気データの始め符号の記録開始位置との距離Ｐ＝Ｌ＋Ｙを算出する（ステップＳ１６）。距離Ｐが算出されると、カード２に記録された磁気データの始め符号の位置確認を行っている作業員は、算出された距離ＰがＪＩＳ規格やＩＳＯ規格等の所定の規格の範囲内に入っているのか否かを確認する。
【００３９】
すなわち、始め符号位置確認工程では、基準時間ｔ０と測定時間ｔ１０との差Δｔに基づいて距離Ｐを算出して、磁気データが読み取られたカード２の磁気データの始め符号の位置が所定の規格の範囲内に入っているのか否かを確認する。磁気データが読み取られたカード２の磁気データの始め符号の位置が所定の規格の範囲内に入っているのか否かが確認されると、始め符号位置確認工程が終了する。
【００４０】
このように、始め符号位置確認工程では、カードリーダ１へのカード２の挿入作業、および、カード２の磁気データの始め符号の位置が所定の規格の範囲内に入っているのか否かの最終的な作業確認は作業員が行うが、この作業を除いた始め符号位置確認工程の大半部分は、制御部１２が実行する。なお、カード２の磁気データの始め符号の位置が所定の規格の範囲内に入っているのか否かの最終的な確認を制御部１２が行っても良い。すなわち、カード２の磁気データの始め符号の位置が所定の規格の範囲内に入っているのか否かの最終的な確認を自動で行っても良い。
【００４１】
（本形態の主な効果）
以上説明したように、本形態では、始め符号位置確認工程において、不揮発性メモリ１４に記憶された基準時間ｔ０と始め符号位置確認工程で算出された測定時間ｔ１０との差Δｔに基づいて、磁気データが読み取られたカード２の磁気データの始め符号の位置が所定の規格の範囲内に入っているのか否かを確認している。そのため、本形態では、磁気現像された磁気データの始め符号の位置を顕微鏡を用いて目視で確認する必要がない。したがって、本形態では、磁気データ記録工程でカード２に記録された磁気データの始め符号の位置が所定の規格の範囲内に入っているのか否かを容易に確認することが可能になる。
【００４２】
本形態では、磁気データ記録工程において、補正値ｎに基づいて、搬送機構４によってカード２を搬送しながら磁気ヘッド３によってカード２に磁気データを記録している。また、始め符号位置確認工程において、磁気データ記録工程で磁気データが記録されたカード２の磁気データの始め符号の位置が所定の規格の範囲内に入っているのか否かを確認している。そのため、本形態では、補正値算出工程で算出された補正値ｎによって磁気データの始め符号の記録開始タイミングが適切に補正されているのか否かを確認することが可能になる。
【００４３】
また、本形態では、磁気現像された磁気データの始め符号の位置を顕微鏡を用いて目視で確認する必要がないため、カードリーダ１が上位装置に搭載された後でも、その場で、基準カード２および磁気データが記録されていないカード２を用いて、補正値ｎを算出して不揮発性メモリ１４に記憶するとともに、磁気データの始め符号の記録開始タイミングが適切に補正されているのか否かを確認することが可能になる。
【００４４】
（他の実施の形態）
上述した形態は、本発明の好適な形態の一例ではあるが、これに限定されるものではなく本発明の要旨を変更しない範囲において種々変形実施が可能である。
【００４５】
上述した形態では、不揮発性メモリ１４に基準時間ｔ０が記憶されているが、搬送機構４によって磁気ヘッド３に向かって搬送される基準カード２の一端部２ｂが検知機構５で検知された後、基準カード２に記録された磁気データの始め符号が磁気ヘッド３に到達するまでの搬送機構４によるカード２の送り量である基準送り量が、基準時間ｔ０に代えて不揮発性メモリ１４に記憶されていても良い。
【００４６】
この場合には、たとえば、搬送ローラ７が連結されるモータにエンコーダが設けられており、搬送機構４によって磁気ヘッド３に向かって搬送される基準カード２の一端部２ｂが検知機構５で検知された後、基準カード２に記録された磁気データの始め符号が磁気ヘッド３に到達するまでに、エンコーダから出力されたエンコーダパルスのパルス数が基準送り量となる。あるいは、このエンコーダパルスのパルス数に基づいて基準送り量が算出される。また、この場合には、補正値算出工程のステップＳ１〜Ｓ３において、基準送り量を算出し、ステップＳ４〜Ｓ６において、基準送り量に基づいて補正値ｎを算出し、ステップＳ７において、基準送り量および補正値ｎを不揮発性メモリ１４に記憶する。
【００４７】
また、この場合には、始め符号位置確認工程のステップＳ１１〜Ｓ１３において、搬送機構４によって磁気ヘッド３に向かって搬送されるカード２の一端部２ｂが検知機構５で検知された後、カード２に記録された磁気データの始め符号が磁気ヘッド３に到達するまでの搬送機構４による送り量である測定送り量を算出する。測定送り量は、たとえば、搬送機構４によって磁気ヘッド３に向かって搬送されるカード２の一端部２ｂが検知機構５で検知された後、カード２に記録された磁気データの始め符号が磁気ヘッド３に到達するまでに、エンコーダから出力されたエンコーダパルスのパルス数である。あるいは、測定送り量は、このエンコーダパルスのパルス数に基づいて算出される。また、始め符号位置確認工程では、基準送り量と測定送り量との差に基づいて、磁気データが読み取られたカード２の磁気データの始め符号の位置が所定の規格の範囲内に入っているのか否かを確認する。
【００４８】
また、上述した形態において、基準時間ｔ０に代えて、基準時間ｔ０または基準送り量に基づいて算出される基準値が不揮発性メモリ１４に記憶されていても良い。この場合の基準値は、たとえば、基準時間ｔ０とカード２の搬送速度Ｖとの積（ｔ０×Ｖ）である。また、この場合には、補正値算出工程において、基準値（基準時間ｔ０とカード２の搬送速度Ｖとの積）に基づいて補正値ｎを算出し、基準値および補正値ｎを不揮発性メモリ１４に記憶する。
【００４９】
また、この場合には、始め符号位置確認工程において、測定時間ｔ１０または測定送り量に基づく測定値を算出する。測定値は、たとえば、測定時間ｔ１０とカード２の搬送速度Ｖとの積（ｔ１０×Ｖ）である。また、始め符号位置確認工程では、基準値と測定値との差に基づいて、磁気データが読み取られたカード２の磁気データの始め符号の位置が所定の規格の範囲内に入っているのか否かを確認する。
【００５０】
上述した形態において、補正値算出工程に代えて、基準時間ｔ０＝ｔ２−ｔ１を算出して、基準時間ｔ０を不揮発性メモリ１４に記憶する工程が設けられていても良い。この場合であっても、磁気データ記録工程でカード２に記録された磁気データの始め符号の位置が所定の規格の範囲内に入っているのか否かを容易に確認することが可能になる。また、この場合には、磁気データ記録工程が実行されなくても良い。磁気データ記録工程が実行されない場合には、始め符号位置確認工程において、予め磁気データが記録されたカード２を搬送機構４によって搬送する。この場合であっても、予め磁気データが記録されたカード２の磁気データの始め符号の位置が所定の規格の範囲内に入っているのか否かを容易に確認することが可能になる。
【００５１】
上述した形態では、カード２に記録された磁気データの始め符号の位置が確認されているが、カード２に記録された磁気データの終わり符号の位置が確認されても良い。この場合、終わり符号の位置確認方法は、磁気データが記録されていないカード２を搬送機構４によって搬送しながら磁気ヘッド３によってカード２に磁気データを記録する磁気データ記録工程と、磁気データ記録工程で磁気データが記録されたカード２を搬送機構４によって搬送しながらカード２に記録された磁気データを磁気ヘッド３で読み取るとともに、磁気データが読み取られたカード２の磁気データの終わり符号の位置が所定の規格の範囲内に入っているのか否かを確認する終わり符号位置確認工程とを備えている。
【００５２】
また、この場合には、磁気データが記録されるとともに磁気データの終わり符号が正確な位置に記録されたカード２を基準カード２とすると、不揮発性メモリ１４には、搬送機構４によって磁気ヘッド３に向かって搬送される基準カード２の一端部２ｂが検知機構５で検知された後、基準カード２に記録された磁気データの終わり符号が磁気ヘッド３に到達するまでの時間である基準時間が記憶されている。
【００５３】
終わり符号位置確認工程では、搬送機構４によって磁気ヘッド３に向かって搬送されるカード２の一端部２ｂが検知機構４で検知された後、カード２に記録された磁気データの終わり符号が磁気ヘッド３に到達するまでの時間である測定時間を算出する。また、終わり符号位置確認工程では、基準時間と測定時間との差に基づいて、磁気データが読み取られたカード２の磁気データの終わり符号の位置が所定の規格の範囲内に入っているのか否かを確認する。
【００５４】
この場合には、終わり符号位置確認工程において、不揮発性メモリ１４に記憶された基準時間と終わり符号位置確認工程で算出された測定時間との差に基づいて、磁気データが読み取られたカード２の磁気データの終わり符号の位置が所定の規格の範囲内に入っているのか否かを確認しているため、磁気現像された磁気データの終わり符号の位置を顕微鏡を用いて目視で確認する必要がない。したがって、磁気データの終わり符号の位置が所定の規格の範囲内に入っているのか否かを容易に確認することが可能になる。
【００５５】
なお、この場合において、カード２に記録された磁気データが磁気ヘッド３で読み取られるとき、および、磁気ヘッド３によってカード２に磁気データが記録されるときに、他端部２ｃが最初に磁気ヘッド３に接触するように、カード２が搬送されても良い。この場合には、不揮発性メモリ１４に、搬送機構４によって磁気ヘッド３に向かって搬送される基準カード２の他端部２ｃが検知機構５で検知された後、基準カード２に記録された磁気データの終わり符号が磁気ヘッド３に到達するまでの時間である基準時間が記憶され、終わり符号位置確認工程では、搬送機構４によって磁気ヘッド３に向かって搬送されるカード２の他端部２ｃが検知機構４で検知された後、カード２に記録された磁気データの終わり符号が磁気ヘッド３に到達するまでの時間である測定時間を算出する。
【００５６】
上述した形態において、基準カード２に記録された磁気データの始め符号の位置と、磁気データ記録工程で磁気データが記録されたカード２の磁気データの始め符号の位置とのずれ量Ｙが所定の範囲内に入っているのか否かによって、磁気データが読み取られたカード２の磁気データの始め符号の位置が所定の規格の範囲内に入っているのか否かを確認しても良い。また、基準時間ｔ０と測定時間ｔ１０との差Δｔが所定の範囲内に入っているのか否かによって、磁気データが読み取られたカード２の磁気データの始め符号の位置が所定の規格の範囲内に入っているのか否かを確認しても良い。
【００５７】
上述した形態では、カード２は、厚さが０．７〜０．８ｍｍ程度の塩化ビニール製のカードであるが、カード２は、厚さが０．１８〜０．３６ｍｍ程度のＰＥＴ（ポリエチレンテレフタレート）カードであっても良いし、所定の厚さの紙カード等であっても良い。
【符号の説明】
【００５８】
１  カードリーダ
２  カード
２ｂ  一端部（先端部）
３  磁気ヘッド
４  搬送機構
５  検知機構
１４  不揮発性メモリ（記憶部）
ｔ０  基準時間
ｔ１０  測定時間
ｎ  補正値
【図１】
2018116756.tif 000003
【図２】
2018116756.tif 000004
【図３】
2018116756.tif 000005
【図４】
2018116756.tif 000006
【図５】
2018116756.tif 000007